(57)【要約】【課題】滅菌処理装置による医療器具の滅菌処理情報を容易に記録し、その滅菌処理情報を表示認識可能な医療システムが望まれている。【解決手段】加熱滅菌処理される手術用ハンドピース２と、このハンドピースが接続自在で処置エネルギーを供給する医療装置本体３と、ハンドピースを加熱滅菌処理する加熱温度を計測記憶するハンドピースに内蔵された温度センサ８と記憶素子１０と、ハンドピースが接続されると医療装置本体でハンドピースの記憶素子の加熱温度を読み出し、その加熱温度データで加熱滅菌処理の実施を判別する医療システム。【選択図】      図１
2004290265.tif 000002
【特許請求の範囲】
【請求項１】
加熱滅菌処理される医療器具と、前記医療器具を着脱自在に接続して電気的に駆動する駆動手段を有する医療装置とを備えた医療システムにおいて、
前記医療器具に設けられ、前記加熱滅菌処理の熱によって変化可能な熱変化手段と、
前記加熱滅菌処理の熱によって変化した前記熱変化手段の変化状態を保持可能な変化状態保持手段と、
前記医療装置に設けられ、前記医療器具を接続したときに前記変化状態保持手段で保持された前記熱変化手段の前記変化状態を読み取り可能な変化状態読み取り手段と、
前記医療装置に設けられ、前記熱変化状態を読み取り手段で読み取られた変化状態情報に基づき、前記加熱滅菌処理の実施を判別する滅菌実施判別手段と、
を具備したこと特徴とする医療システム。
【請求項２】
加熱滅菌処理される医療器具と、前記医療器具を着脱自在に接続して電気的に駆動する駆動手段を有する医療装置とを備えた医療システムにおいて、
前記医療器具に設けられ、前記加熱滅菌処理の熱を電気的に検知可能な熱検知手段と、
前記医療器具に設けられ、前記熱検知手段で検知された検知情報を電気的に記憶可能な記憶手段と、
前記医療器具に設けられ、前記記憶手段と前記熱検知手段とに電力を供給可能なバッテリ手段と、
前記医療装置に設けられ、前記医療器具を接続するときに前記記憶手段に記憶された検知情報を読み取り可能な情報読み取り手段と、
前記医療装置に設けられ、前記情報読み取り手段で読み取られた検知情報に基づき、前記加熱滅菌処理の実施を判別する滅菌実施判別手段と、
を具備したこと特徴とする医療システム。
【発明の詳細な説明】
【０００１】
【発明の属する技術分野】
本発明は、医療器具の加熱滅菌処理の実施状態を判別可能な医療システムに関する。
【０００２】
【従来の技術】
一般に、各種医療器具は、診断治療に一度使用した後には、廃棄処分するものと、滅菌洗浄処理して再度使用されるものとがある。
【０００３】
この滅菌洗浄して、再使用される医療器具は、診断治療後の未滅菌洗浄医療器具と、滅菌洗浄後の滅菌洗浄済み医療器具とを厳格に管理する必要がある。
【０００４】
この再使用される医療器具の滅菌洗浄状態を管理する方法として、医療装置の滅菌洗浄、特に高温水蒸気の基で滅菌洗浄するオートクレーブ滅菌による滅菌処理回数を個々の医療器具毎に管理する方法として、医療器具に形状記憶合金と、この形状記憶合金の熱による伸縮により回動させるラチェット式歯車と、このラチェット歯車に数字を表記させ、オートクレーブ滅菌下で、前記形状記憶合金の伸張により前記ラチェット歯車を回動させ、そのラチェット歯車に表記している数字を所定の表示窓から表示させることで、オートクレーブ滅菌の回数を表示させるようにした加熱回数の表示装置が提案されている（例えば、特許文献１参照）。
【０００５】
また、電子内視鏡をビデオプロセッサに接続するコネクタに滅菌洗浄情報を記録させる記憶素子を内蔵させた電子内視鏡と、この電子内視鏡の滅菌洗浄時に、前記コネクタに設けられる防水キャップを介して、前記記憶素子に洗浄実施の有無や洗浄累積回数などの洗浄情報を書込む機能を有する滅菌洗浄装置と、前記電子内視鏡のコネクタを介して、電子内視鏡を駆動制御し、撮像された撮像信号から所定の映像信号を生成して、モニターに内視鏡像を表示させると共に、前記コネクタの記憶素子に記録されている洗浄情報から滅菌洗浄の有無や回数などを読み取り前記モニターに表示させるビデオプロセッサとからなる電子内視鏡の洗浄状態確認装置等が提案されている（例えば、特許文献２参照）。
【０００６】
【特許文献１】
特開平６−１６５５３０号公報。
【０００７】
【特許文献２】
特許第３３４０５６１号公報。
【０００８】
【発明が解決しようとする課題】
前述した特許文献１に提案されている加熱回数の表示装置は、累積の滅菌加熱回数の管理と、この加熱回数から医療器具の使用限度判定等に有効であるが、その医療器具の現在の状態が、加熱滅菌済みであるか、あるいは、これから加熱滅菌を行うのか等の加熱滅菌の有無や加熱滅菌時期など判別できない。
【０００９】
これに対して、前述した特許文献２は、滅菌洗浄の有無、洗浄方法、及び洗浄回数などが判明できるようになっているが、電子内視鏡のコネクタに記憶素子を設け、かつ、洗浄装置に前記記憶素子に対して、洗浄の有無、洗浄方法、及び洗浄回数などの洗浄情報を書込記録させる機能を有する必要がある。
【００１０】
このため、少なくとも、洗浄装置に洗浄情報を書込記録させる機能を有する必要があり、この洗浄情報の書込記録機能を有していない洗浄装置で洗浄した電子内視鏡には、洗浄情報の書込ができない。よって、洗浄情報書込機能のない洗浄装置で洗浄された電子内視鏡は、洗浄の有無や洗浄回数を管理できない課題がある。
【００１１】
本発明は、このように事情に鑑みなされたもので、加熱滅菌処理情報の書込機能を有していない加熱滅菌装置を用いて加熱滅菌処理されても、加熱滅菌処理の有無や処理回数等の加熱滅菌処理情報を容易に記録すると共に、その加熱滅菌処理情報を表示認識可能な医療システムを提供することを目的としている。
【００１２】
【課題を解決するための手段】
本発明の医療システムは、加熱滅菌処理される医療器具と、前記医療器具を着脱自在に接続して電気的に駆動する駆動手段を有する医療装置とを備えた医療システムにおいて、前記医療器具に設けられ、前記加熱滅菌処理の熱によって変化可能な熱変化手段と、前記加熱滅菌処理の熱によって変化した前記熱変化手段の変化状態を保持可能な変化状態保持手段と、前記医療装置に設けられ、前記医療器具を接続したときに前記変化状態保持手段で保持された前記熱変化手段の前記変化状態を読み取り可能な変化状態読み取り手段と、前記医療装置に設けられ、前記熱変化状態を読み取り手段で読み取られた変化状態情報に基づき、前記加熱滅菌処理の実施を判別する滅菌実施判別手段と、を具備したこと特徴とする。
【００１３】
また、本発明の医療システムは、加熱滅菌処理される医療器具と、前記医療器具を着脱自在に接続して電気的に駆動する駆動手段を有する医療装置とを備えた医療システムにおいて、前記医療器具に設けられ、前記加熱滅菌処理の熱を電気的に検知可能な熱検知手段と、前記医療器具に設けられ、前記熱検知手段で検知された検知情報を電気的に記憶可能な記憶手段と、前記医療器具に設けられ、前記記憶手段と前記熱検知手段とに電力を供給可能なバッテリ手段と、前記医療装置に設けられ、前記医療器具を接続するときに前記記憶手段に記憶された検知情報を読み取り可能な情報読み取り手段と、前記医療装置に設けられ、前記情報読み取り手段で読み取られた検知情報に基づき、前記加熱滅菌処理の実施を判別する滅菌実施判別手段と、を具備したこと特徴とする。
【００１４】
本発明の医療システムは、加熱滅菌処理の有無判別と、加熱滅菌処理回数が容易に把握でき、加熱滅菌処理の管理が容易となった。また、治療行為において、不注意で未加熱滅菌の医療器具を使用とする場合には、確実に未加熱滅菌状態が検出されて術者に告知され、未加熱滅菌の医療器具の使用を未然に阻止でき、かつ、加熱滅菌処理が医療器具の性能や機能を損なう限界回数に近づくと術者に告知されることから、医療器具の交換時期を確実に把握できるようになった。
【００１５】
【発明の実施の形態】
以下、図面を参照して本発明の実施の形態について詳細に説明する。本発明の医療システムの第１の実施形態について、図１乃至図５を用いて説明する。
【００１６】
図１は本発明の第１の実施形態の医療システムの全体構成を説明する説明図、図２は本発明の第１の実施形態の医療システムに用いる手術用ハンドピースに内蔵される温度監視チップの構成を示すブロック図、図３は本発明の第１の実施形態の医療システムに用いる医療装置本体の構成を示すブロック図、図４は本発明の第１の実施形態の治療システムにおける手術用ハンドピースの温度測定動作を説明するフローチャート、図５は本発明の第１の実施形態の治療システムにおける手術用ハンドピースと医療装置本体との接続状態時の動作を説明するフローチャートである。
【００１７】
最初に本発明の医療システムの全体構成を図１を用いて説明する。本発明の医療システム１は、外科的処置を行う外科手術用ハンドピース（以下、単に手術用ハンドピースと称する）２と、この手術用ハンドピース２に出力エネルギーを供給する医療装置本体３とからなり、手術用ハンドピース２と医療装置本体３とは、ケーブル７とコネクター４を介して接続されている。
【００１８】
前記手術用ハンドピース２は、超音波処置具、電気メス、又はレーザメス等の医療器具である。
【００１９】
前記医療装置本体３は、前記手術用ハンドピース２である各種医療器具に応じて、超音波振動、高周波電流、レーザー、又はトリル等の処置エネルギーを生成出力するようになっている。
【００２０】
この医療装置本体３から生成出力された出力エネルギーの基で、前記手術用ハンドピース２を駆動させて、外科的治療処置を行うようになっている。
【００２１】
また、手術用ハンドピース２の基端から延出しているケーブル７の先端には、前記治療装置本体３に接続するためのコネクタ４が設けられている。このコネクタ５の内部には、温度監視チップ５が内蔵されている。
【００２２】
さらに、前記医療装置本体３には、この医療装置本体２で生成出力する出力エネルギーの設定状態やエラー状態を表示する為の表示パネル６が備えられている。
【００２３】
次に、前記手術用ハンドピース２のコネクタ４に内蔵されている温度監視チップ５の構成について図２を用いて説明する。温度監視チップ５を内蔵している部位の温度を計測する温度センサ素子８、時間測定の基準となる信号を発振するオシレータ素子９、手術用ハンドピース２の個体情報、及び後述する加熱滅菌温度や加熱滅菌処理回数等の各種情報データを記憶保存する記憶素子１０、これら温度センサ素子８、オシレータ素子９、及び記憶素子１０の３つの素子を駆動制御すると共に、医療装置本体３と各種情報データと制御信号の授受を行うコントロール回路１１、このコントロール回路１１を駆動する為に必要な電力を供給するバッテリー１２、及び前記コントロール回路１１と医療装置本体３との間で各種情報データや制御信号を授受するための入出力端子（以下、単にＩＯと称する）１３からなっている。
【００２４】
なお、前記温度監視チップ５は、前記コネクタ４に内蔵させる以外に、前記手術用ハンドピース２やケーブル７に内蔵させても良い。さらに、前記温度センサ素子８としては、温度測定用素子の他に、サーモスタットを用いても良く、また前記記憶素子１０は、ＳＲＡＭやＥＥＰＲＯＭ等が用いられる。
【００２５】
前記医療装置本体３の構成について図３を用いて説明する。前記手術用ハンドピース２のケーブル７に設けられたコネクタ４が接続されると共に、温度監視チップ５のＩＯ１３が接続される入出力ポート（以下、ＩＯ／ＰＯＲＴと称する）を有するコネクター接続部１７、このコネクター接続部１７を介して、前記手術用ハンドピース２を駆動制御すると共に、処置エネルギーを生成出力する駆動回路１５、前記コネクター接続部１７のＩＯ／ＰＯＲＴから前記手術用ハンドピース２に内蔵された前記温度監視チップ５の記憶素子１０に記憶されている各種情報データの読み出しと書き込みを行うための読み出し／書込手段１６、前記駆動回路１５と前記読み出し／書込手段１６を駆動制御すると共に後述する表示パネル６と充電手段３６を駆動制御するコントロール回路１４からなっている。前記表示パネル６は、前記医療装置本体３の表面に設けられ、前記コントロール回路１４で駆動制御されると共に、コントロール回路１４で生成された文字記号等の情報を表示するようになっている。また、前記充電手段３６は、前記コントロール回路１４の駆動制御の基で、前記温度監視チップ５のバッテリ１２を充電する。
【００２６】
このような構成の医療システムの作用を説明する。最初に、高温水蒸気下で滅菌処理を行うオートクレーブ滅菌処理時における手術用ハンドピース２の温度監視チップ５の作用について図４を用いて説明する。
【００２７】
前記手術用ハンドピース２のコントロール回路１１は、ステップＳ１１で医療装置本体３から前記コネクタ４が取り外されたことを検出すると、ステップＳ１２で、温度センサ素子８を駆動制御して、温度監視チップ５の周辺温度の計測を行うと共に、前記コントロール回路１１は前記オシレータ素子９から出力される基準信号の基で、前記温度計測開始からの経過時間を計測する。
【００２８】
このステップＳ１２で温度計測開始と共に経過時間計測し、例えば、３分間経過すると、前記コントロール回路１１はステップＳ１３で、再度温度センサ素子８を駆動制御して温度計測を行う。
【００２９】
このステップＳ１３で計測した温度を基に、コントロール回路１１はステップＳ１４で、その計測温度が所定の温度、例えば、オートクレーブ滅菌の規定の加熱滅菌処理温度である、例えば、１２０゜Ｃを越えているか判定する。
【００３０】
このステップＳ１４の判定の結果、前記ステップＳ１３で計測した温度が規定温度、例えば、１２０゜Ｃと比較し、規定温度の１２０゜Ｃ以下である場合は、前記ステップＳ１３に戻り、さらに、３分経過した時の温度を再計測し、その再計測した温度を再度ステップＳ１４で規定温度１２０゜Ｃ以上であるか判定する。
【００３１】
つまり、前記手術用ハンドピース２は、医療装置本体３から取り外された以降、３分間隔で温度計測され、オートクレーブ滅菌装置により滅菌処理が行われ、コネクタ４に内蔵されている温度監視チップ５の温度センサ素子８で計測された温度が規定温度１２０゜Ｃ以上、即ち、オートグレープ滅菌処理の規定温度以上に到達するまで温度計測が繰り返し実行される。なお、ステップＳ１４で計測温度が規定温度以下であると判定され、ステップＳ１３で再計測する時間である３分後に到達していない時間帯は、コントロール回路１１は、バッテリ１２から前記温度センサ素子８や記憶素子１０等への駆動電力供給を停止させて、バッテリ１２の消耗を軽減させるようにする。
【００３２】
前記ステップＳ１４で、温度センサ素子８で計測した温度が規定温度１２０゜Ｃ以上であると判定されると、コントロール回路１１はステップＳ１５で、前記記憶素子１０に設けられている滅菌回数の値Ｎに１を加算して、その滅菌回数Ｎを記憶させる。
【００３３】
このステップＳ１５の滅菌回数Ｎの記憶素子１０への記憶が終了すると、ステップＳ１６でコントロール回路１１は、記憶素子１０に滅菌処理済み情報を記憶させると共に温度計測を終了させ、前記バッテリ１２からの駆動電力供給を停止させる。
【００３４】
即ち、コネクタ４に温度監視チップ５を内蔵した手術用ハンドピース２をオートクレーブ滅菌装置により滅菌処理する際に、前記手術用ハンドピース２の効果的な滅菌処理条件である規定温度に到達したか監視し、その規定温度に到達すると滅菌処理回数Ｎに１を加算して、滅菌処理の累計回数を温度監視チップ５に記憶保持させると共に、滅菌処理済み情報を記憶させる。
【００３５】
なお、前記温度センサ素子８に代えて、サーモスタットを用いた場合は、測定温度と規定温度とのステップＳ１４における比較は、サーモスタットのＯＮ／ＯＦＦ状態により判別されるようにする。
【００３６】
このようにコネクタ４に内蔵した温度監視チップ５に滅菌処理済みと滅菌処理回数Ｎとを記憶させた手術用ハンドピース２を医療装置本体３に接続して治療処置する際の作用について、図５を用いて説明する。
【００３７】
前記医療装置本体３のコネクター接続部１７に、前述手術用ハンドピース２のコネクタ４が接続されると、医療装置本体３のコントロール回路１４は、手術用ハンドピース２の接続をステップＳ２１で認知し、ステップＳ２２で読み出し／書込手段１６を駆動制御して、前記手術用ハンドピース２の温度監視チップ５のコントロール回路１１とデータ伝送処理を行い、記憶素子１０に記憶されている滅菌処理情報の読み出しを行う。
【００３８】
このステップＳ２２の温度監視チップ５の記憶素子１０からの滅菌処理情報の読み出しと同時に、ステップＳ２８で充電手段３６を駆動制御して、手術用ハンドピース２の温度監視チップ５に内蔵されているバッテリ１２の充電動作を開始し、ステップＳ２９で前記バッテリ１２の充電満了が確認されると充電動作を終了させる。
【００３９】
前記コントロール回路１４は、前記ステップＳ２２で温度監視チップ５の記憶素子１０から読み出した滅菌処理情報を基に、ステップＳ２３で、滅菌処理済みであるか、又は滅菌処理回数Ｎは、事前設定されている滅菌処理の限度回数Ｎｃ以下であるか判定される。
【００４０】
この滅菌処理限度回数Ｎｃとは、手術用ハンドピース２は滅菌処理を繰り返しているうちに、手術用ハンドピース２を構成する各種部材が劣化して、所定の性能維持ができなくなる虞があり、このために、滅菌限度回数を設定し、その滅菌限度回数を越えた手術用ハンドピース２は治療に使用しないように管理される。つまり、手術用ハンドピース２の使用回数の管理が行われる。
【００４１】
このステップＳ２３の判定の結果、滅菌処理が済んでいない、又は滅菌処理回数Ｎが滅菌限度回数Ｎｃを越えているのいずれかが該当すると判定されると、ステップＳ２６でコントロール回路１４は、表示パネル６に手術用ハンドピース使用禁止と交換を促すメッセージ、例えば、「ハンドピースを交換してください」との表示をするための表示情報を生成出力し、ステップＳ２７でコントロール回路１４は、手術用ハンドピース２の駆動制御のスタンバイモードとし、かつ、駆動回路１５は手術用ハンドピース２への処置エネルギーの出力停止状態に制御する。
【００４２】
前記ステップＳ２３で手術用ハンドピース２から読み込んだ滅菌処理情報から、滅菌処理が終了しており、かつ、滅菌処理回数Ｎは、滅菌限度回数Ｎｃ以下であると判定されると、ステップＳ２４でコントロール回路１４は、滅菌処理回数Ｎが滅菌限度回数Ｎｃから２０回を減算したＮｃ−２０と比較する。
【００４３】
つまり、滅菌処理回数Ｎが滅菌限度回数Ｎｃの２０回前まで滅菌処理されて、残りの滅菌回数は２０回を切っており手術用ハンドピース２の使用限界時期が近いことの認識ができる。なお、このステップＳ２４のＮｃ−２０は、必用に応じてＮｃ−１０（１０回）又はＮｃ−５（５回）等のように任意に設定することができる。
【００４４】
このステップＳ２４の判定の結果、滅菌処理回数Ｎは、滅菌限度回数Ｎｃから２０を減算したＮｃ−２０以下であると判定されると、ステップＳ２４でコントロール回路１４は、駆動回路１５を手術用ハンドピース２への処置エネルギーの出力準備モードに制御する。
【００４５】
前記ステップＳ２４で、滅菌処理回数Ｎが滅菌限度回数Ｎｃから２０を減算したＮｃ−２０以内であると判定されると、ステップＳ３０でコントロール回路１４は、表示パネル６に手術用ハンドピース２が滅菌限界に近づいていることを知らせるメッセージ、例えば、「このハンドピースの使用可能回数は、あと“Ｎｃ−Ｎ”回です」との表示をするための表示情報を生成出力し、前記ステップＳ２５の処理へと移行する。
【００４６】
なお、前記ステップＳ２５の駆動回路１５から手術用ハンドピース２への処置エネルギーの出力準備モードから治療実施のために処置エネルギーの出力が実行されると、図示していないが、コントロール回路１４は、読み出し／書込手段１６を駆動制御して、前記温度監視チップ５のコントロール回路１１を介して、記憶素子１０の滅菌処理情報の滅菌処理済みを未滅菌処理又は滅菌処理が必要と書き換える。
【００４７】
以上説明したように、本発明の医療システム１は、オートクレーブ滅菌装置で滅菌処理される度に、手術用ハンドピース２のコネクタ４に設けられた温度監視チップ５により、自動的にオートクレーブ滅菌処理温度を感知し、その温度感知により滅菌処理の終了情報と滅菌処理回数を記憶素子に書込記憶させることが可能となる。
【００４８】
この滅菌処理情報を有する手術用ハンドピース２を医療装置本体３に接続して、治療行為を行う際には、手術用ハンドピース３の滅菌処理情報を基に未滅菌処理及び滅菌限度回数を超えた手術用ハンドピース２の使用を未然に防止することができ、かつ、滅菌限度回数に近づいた際には、残りの滅菌処理回数が表示されるために、新しい手術用ハンドピース２を準備も容易となる。
【００４９】
次に、本発明の第２の実施形態の医療システムを図６を用いて説明する。図６は本発明の第２の実施形態の医療システムにおける手術用ハンドピースの温度測定動作を説明するフローチャートである。
【００５０】
この第２の実施形態の医療システムの構成は、図１乃至図３と同じで、手術用ハンドピース２の温度監視チップ５のオートクレーブ滅菌処理時の作用が異なるものである。
【００５１】
この第２の実施形態の温度監視チップ５の作用について、図６を用いて説明する。前記手術用ハンドピース２の温度監視チップ５のコントロール回路１１は、ステップＳ３１で前記医療装置本体３から前記コネクタ４が取り外されたことを検出すると、ステップＳ３２で、温度センサ素子８を駆動制御して、温度監視チップ５の周辺温度の計測を行うと共に、前記コントロール回路１１は前記オシレータ素子９から出力される基準信号の基で、前記温度計測開始からの経過時間を計測する。
【００５２】
このステップＳ３２で温度計測開始と共に経過時間計測し、例えば、３分間経過すると、前記コントロール回路１１はステップＳ３３で、再度温度センサ素子を駆動制御して温度計測を行う。
【００５３】
このステップＳ３３で計測した温度を基に、コントロール回路１１はステップＳ３４で、その計測温度が所定の温度、例えば、オートクレーブ滅菌の規定の滅菌処理温度である、例えば、１２０゜Ｃ以上であるか判定する。
【００５４】
このステップＳ３４の判定の結果、前記ステップＳ１３で計測した温度が規定温度、例えば、１２０゜Ｃと比較し、規定温度の１２０゜Ｃ以下である場合は、前記ステップＳ３３に戻り、さらに、３分経過した時の温度を再計測し、その再計測した温度を再度ステップＳ３４で規定温度１２０゜Ｃ以上であるか判定する。
【００５５】
つまり、前記手術用ハンドピース２は、医療装置本体３から取り外された以降、３分間隔で温度計測が行われ、オートクレーブ滅菌装置により滅菌処理が行われ、コネクタ４に内蔵されている温度監視チップ５の温度センサ素子８で計測される温度が規定温度１２０゜Ｃ以上、即ち、オートグレープ滅菌処理の規定温度以上に到達するまで温度計測が繰り返し実行される。なお、ステップＳ３４で計測温度が規定温度以下であると判定され、ステップＳ３３で再計測する時間である３分後に到達していない時間帯は、コントロール回路１１は、バッテリ１２から前記温度センサ素子８や記憶素子１０等への駆動電力の供給を停止させて、バッテリ１２の消耗を軽減させるようにする。
【００５６】
前記ステップＳ３４で、温度センサ素子８で計測した温度が規定温度１２０゜Ｃ以上であると判定されると、コントロール回路１１はステップＳ３５で、前記記憶素子１０に設けられている滅菌回数の値Ｎに１を加算して、その加算滅菌回数Ｎを記憶させる。
【００５７】
このステップＳ３５の滅菌回数Ｎの記憶素子１０への記憶が終了すると、再度一定時間間隔で継続して温度測定が行なわれる。
【００５８】
このステップＳ３５の滅菌回数Ｎの加算記憶と共に実行される継続温度測定の結果は、ステップＳ３６で、規定温度１２０゜と比較される。
【００５９】
このステップＳ３６の比較の結果、測定温度が規定温度１２０゜以上の場合は、再度所定時間間隔で温度計測が行われ、測定温度が規定温度１２０゜以下であると、前記ステップＳ３３に戻る。
【００６０】
即ち、コネクタ４に内蔵させた温度監視チップ５を有する手術用ハンドピース２をオートクレーブ滅菌装置により滅菌処理する際に、前記手術用ハンドピース２の効果的な滅菌処理条件である規定温度に到達したか監視し、その規定温度に到達すると滅菌処理回数Ｎに１を加算して、滅菌処理の累計回数を温度監視チップ５に記憶保持させると共に、滅菌処理済み情報を記憶させる。つまり、手術用ハンドピース２が滅菌処理後に、医療装置本体３と接続させて医療行為に使用されていない状態であるにも拘わらず、再度オートクレーブ滅菌処理した場合でも、その滅菌回数がカウントできる。
【００６１】
なお、前記温度センサ素子８に代えて、サーモスタットを用いた場合は、測定温度と規定温度とのステップＳ３４とＳ３６における比較は、サーモスタットのＯＮ／ＯＦＦ状態により判別されるようにする。
【００６２】
このように、オートクレーブ滅菌処理の回数を正確に、かつ、自動的にカウントした手術用ハンドピースは、医療装置本体に接続されて使用される際には、前述した第１の実施形態と同様に、医療装置本体により手術用ハンドピースの滅菌処理済みの有無と滅菌処理回数を認識可能となる。
【００６３】
次に、本発明の第３の実施形態の医療システムを図７と図８を用いて説明する。第７図は本発明の第３の実施形態の医療システムにおける手術用ハンドピースの温度測定動作を説明するフローチャート、第８図は本発明の第３の実施形態の医療システムにおける手術用ハンドピースを医療装置本体に取り付けた状態の動作を説明するフローチャートである。
【００６４】
この第３の実施形態の医療システムの構成は、図１乃至図３と同じで、手術用ハンドピース２の温度監視チップ５のオートクレーブ滅菌処理時の作用と、医療装置本体３の作用が異なるものである。
【００６５】
手術用ハンドピース２の作用について図７を用いて説明する。前記手術用ハンドピース２のコントロール回路１１は、ステップＳ４１で前記コネクタ４が取り外されたことを検出すると、ステップＳ４２で、温度センサ素子８を駆動制御して、温度監視チップ５の周辺温度の計測を行う。
【００６６】
このステップＳ４２の温度計測が終了すると、コントロール回路１１はステップＳ４３で、前記ステップＳ４２で計測した温度データを温度履歴データとして、記憶素子１０に記憶させる。
【００６７】
このステップＳ４３の計測温度記録が終了すると、コントロール回路１１はステップＳ４４で、前記オシレータ素子９からの基準信号を基に、前記ステップＳ４２の温度計測からの経過時間を測定し、所定時間、例えば、３分間経過するまで、前記温度センサー素子８による温度計測や記憶素子１０への計測温度データの記憶処理を停止させる。所定時間が経過すると、前記ステップＳ４２から処理が繰り返される。
【００６８】
つまり、手術用ハンドピース２は、医療装置本体３から取り外されると、所定時間間隔で温度監視チップ５を駆動させて温度計測し、その計測した温度データを記憶素子に順次記憶させる。この所定時間間隔による温度計測とその温度データの記憶は、手術用ハンドピース２が医療装置本体３から取り外され、再度医療装置本体３に取り付けられるまで継続させる。
【００６９】
この結果、手術用ハンドピース２の医療装置本体３から取り外された時点からの温度変化データが記憶される。
【００７０】
なお、コントロール回路１１は、所定時間間隔で温度計測する時に、前記温度センサ素子８や記憶素子１０、及びコントロール回路１１にバッテリー１２から駆動電源を供給するようにして、バッテリー１２の消耗を軽減させる。
【００７１】
このように温度監視チップ５に手術用ハンドピース２が医療装置本体３から外された時点からの温度データが記憶された手術用ハンドピース２を医療装置本体３に接続して、治療行為を行う場合の作用について図８を用いて説明する。
【００７２】
前記医療装置本体３のコントロール回路１４は、ステップＳ５１で前記手術用ハンドピース２のコネクタ４が医療装置本体３のコネクター接続部１７に接続れたことを検出すると、ステップＳ５２で、手術用ハンドピース２の温度監視チップ５のコントロール回路１１に対して、温度測定駆動を停止させる。
【００７３】
次に、医療装置本体３のコントロール回路１４はステップＳ５３で、読み出し／書込手段１６を駆動制御して、温度監視チップ５の記憶素子１０に記憶されている所定時間間隔で計測した温度データを読み出し、その読み出した温度データの中に所定温度、例えば、１２０゜Ｃ以上の温度を示すデータがあるか否かステップＳ５４で判定する。なお、前記記憶素子１０から測定温度データを読み出した後は、記憶素子１０の温度データは消去すると共に、バッテリー１２への充電を開始して、バッテリ１２が充電満了すると充電動作を停止させる。
【００７４】
このステップＳ５４の判定の結果、所定温度である１２０゜Ｃを超える温度データがあると判定されると、つまり、図７を用いて前述した手術用ハンドピース２を医療装置本体３から取り外した以降、オートクレーブ滅菌処理されていると、所定時間間隔で計測されている温度データの中にオートクレーブ滅菌処理温度である１２０゜Ｃを越えている温度データが存在することになる。
【００７５】
このステップＳ５４の判定の結果、所定温度を終える温度データが存在すると判定されると、コントロール回路１４はステップＳ５５で、読み込み／書込手段１６を駆動制御して、前記温度監視チップ５のコントロール回路１１を介して、記憶素子１０に記憶されている滅菌処理回数Ｎに１を加算させる。
【００７６】
次に、コントロール回路１４はステップＳ５６で、前記ステップＳ５５で温度監視チップ５の記憶素子１０に加算書込記憶させた滅菌処理回数Ｎが、所定の滅菌処理限度回数Ｎｃを越えているか判定する。
【００７７】
このステップＳ５６の判定の結果、滅菌処理回数Ｎが所定の滅菌処理限度回数Ｎｃ以上であると判定されると、コントロール回路１４はステップＳ５９で、表示パネル６にその手術用ハンドピース２は使用しないで、他の手術用ハンドピース２に交換することを促すメッセージ、例えば「ハンドピースを交換してください」と表示するための表示情報を生成出力し、ステップＳ６０で手術用ハンドピース２の接続スタンバイモードに移行させ、かつ、駆動回路１５から処置エネルギーが出力されないように出力禁止処置を行う。
【００７８】
前記ステップＳ５４で、温度開始チップ５の記憶素子１０から読み出した計測温度データの中に所定温度１２０゜Ｃを越えるデータがないと判定されると、手術用ハンドピース２は、オートクレーブ滅菌されていないものと判定できるために、コントロール回路１４はステップＳ６１で、表示パネル６にこの手術用ハンドピース２の使用を禁止させるためのメッセージ、例えば「このハンドピースは、未滅菌です」と表示するための表示情報を生成出力し、ステップＳ６２で手術用ハンドピース２の接続スタンバイモードに移行させ、かつ、駆動回路１５から処置エネルギーが出力されないように出力禁止処置を行う。
【００７９】
前記ステップＳ５６の判定の結果、滅菌処理回数Ｎが所定の滅菌処理限度回数Ｎｃ以下であると判定されると、コントロール回路１４はステップＳ５７で、滅菌処理限度回数Ｎｃに到達する２０回前の値Ｎｃ−２０と比較を行い、滅菌処理回数Ｎが滅菌処理限度回数Ｎｃの２０回前の値Ｎｃ−２０以下であると判定されると、ステップＳ５８の処置エネルギーの出力準備モードに移行する。
【００８０】
前記ステップＳ５７で滅菌処理回数Ｎが滅菌処理限度回数Ｎｃの２０回前の値Ｎｃ−２０以上であると判定されると、ステップＳ６３で表示パネル６に手術用ハンドピース２は、滅菌処理限度回数に近づいていることを示す、例えば、「このバンドピースの使用可能回数は、あと“Ｎｃ−Ｎ”回です」との注意表示をするための表示情報を生成出力し、ステップＳ５８の処置エネルギー準備モードに移行する。
【００８１】
なお、前記ステップＳ５７の判断において、滅菌処理回数Ｎを滅菌処理限度回数Ｎｃの２０回前の値Ｎｃ−２０を滅菌処理限度回数Ｎｃの１０回前や５回前の値Ｎｃ−１０，Ｎｃ−５と任意に選定できる。
【００８２】
以上説明したように、この第３の実施形態は、前述した第１と第２の実施形態と同じ効果を有すると共に、手術用ハンドピース２の温度監視チップ５の作用が簡素化できるために、構成部品の簡素化もでき、コストの低減が可能となる。また、温度監視チップ５は、長時間の温度データを計測記憶する必要があるために、記憶容量の大きいものが使用されるが、医療装置本体３と接続されると温度監視チップ５に記憶されている温度データは読み出されると同時に消去することにより、記憶容量はある程度制限されたものが使用可能となる。
【００８３】
次に、本発明の第４の実施形態の医療システムについて図９乃至図１１を用いて説明する。図９は本発明の第４の実施形態の医療システムに用いる温度監視チップの構成を示すブロック図、図１０は本発明の第４の実施形態の医療システムに用いる温度監視チップに内蔵されている温度スイッチの構成と作用を説明する説明図、図１１は本発明の第４の実施形態の医療システムの作用を説明するフローチャートである。
【００８４】
この第４の実施形態の手術用ハンドピース２のコネクタ４には、図９に示す温度監視チップ５’が内蔵されている。この温度監視チップ５’は、手術用ハンドピース２の個体情報及び滅菌処理回数等の各種情報データを記憶する記憶素子１０と、後述する構成の温度スイッチ１８とを有している。前記記憶素子１０は入出力端子（以下、Ｉ／Ｏ端子と称する）１９を介して、前記医療装置本体３のコネクター接続部１７に接続され、かつ、前記温度スイッチ１８はポート端子２０と接地端子２１を介して、前記医療装置本体３のコネクター接続部１７に接続されるようになっている。なお、前記記憶素子１０は、ＳＲＡＭやＥＥＰＲＯＭ等が用いられる。
【００８５】
前記温度スイッチ１８は、図１０に示すように、熱により変形する感熱素子２３と、電流により稼動する電流稼働部材２２からなっている。この感熱素子２３は、バイメタルや形状記憶合金が用いられる。電流稼動部材２２は、圧電素子やモータにより移動する構成のものが用いられる。この温度スイッチ１８の感熱素子２３と電流稼働部材２２の各端部は、ポート端子２０と接地端子２１にそれぞれ接続されている。
【００８６】
このような構成の温度監視チップ５’を、前記手術用ハンドピース２のコネクタ４に内蔵させ、この温度監視チップ５’が内蔵されたコネクタ４が前記医療装置本体３のコネクター接続部１７に接続されて所定の手術処置が実行されるようになっている。
【００８７】
この温度監視チップ５’を有する手術用ハンドピース２を医療装置本体３から取り外し常温状態では、前記温度監視チップ５’の温度スイッチ１８は、図１０（ａ）に示すように、電流稼働部材２２と感熱素子２３とは、非接触のオフ状態となっている。この温度スイッチ１８がオフ状態の手術用ハンドピース２をオートクレーブ滅菌装置に載置して加熱滅菌処理を行うと、図１０（ｂ）に示すように、加熱滅菌温度により感熱素子２３が図中上方向に変形し、電流稼動部材２２の先端面を図中上方向に撓ませながら電流稼働部材２２の上面よりも上側へと変形する。
【００８８】
次に、前記手術用ハンドピース２のオートクレーブ滅菌が終了して、手術用ハンドピース２が冷却されると、図１０（ｃ）に示すように、前記感熱素子２３は元の形状に戻ろうとして、感熱素子２２の先端と稼動部材２３の先端が接触して温度スイッチ１８はオン状態となる。
【００８９】
このように、温度スイッチ１８がオン状態の手術用ハンドピース２を医療装置本体３に接続して、所定の治療処置が行われると、医療装置本体３から温度スイッチ１８のポート端子２０と接地端子２１の間に電流を供給すると電流稼動部材２２は、図１０（ｄ）に示すように、感熱素子２２から離れる方向へ動き（または変形し）、感熱素子２３と電流稼働部材２２が非接触状態となり、温度スイッチ１８はオフ状態となる。
【００９０】
このような構成の温度スイッチ１８を有する温度監視チップ５’を有する手術用ハンドピース２を用いた医療装置本体の作用について図１１を用いて説明する。
【００９１】
前記温度監視チップ５’を有する手術用ハンドピース２が前記医療装置本体３に接続されると、医療装置本体３のコントロール回路１４はステップＳ７１で、前記手術用ハンドピース２の接続確認が実行され、ステップＳ７２で、コネクター接続部１７から温度監視チップ５’の温度スイッチ１８のポート端子２０と接地端子２１の間の電圧が検出され、このポート端子２０と接地端子２１の間の電圧がロー（ＬＯＷ）であるか判定される。つまり、前記温度スイッチ１８は、オートクレーブ滅菌が施されてオン状態であると、ポート端子２０と接地端子２１の間の電圧はローとなり、オートクレーブ滅菌が施されずにオフ状態であると、ポート端子２０と接地端子２１の間の電圧はハイ（ＨＩＧＨ）となる。
【００９２】
このステップＳ７２の判定の結果、前記温度スイッチ１８のポート端子２０と接地端子２１の間の電圧がローであると判定されると、コントロール回路１４はステップＳ７３で、読み出し／書込手段１６を駆動制御して、温度監視チップ５’の記憶素子１０に記憶されている滅菌処理回数Ｎに１を加算させ、ステップＳ７４でその加算された滅菌処理回数Ｎは、滅菌処理限度回数Ｎｃよりも少ないか判定される。このステップＳ７４の結果、滅菌処理回数Ｎは、滅菌処理限度回数Ｎｃよりも少ないと判定されると、ステップＳ７５で滅菌処理回数Ｎは、滅菌処理限度回数Ｎｃの２０回前の値Ｎｃ−２０と比較される。
【００９３】
このステップＳ７５の比較の結果、滅菌処理回数Ｎは、滅菌処理限界回数Ｎｃの２０回前の値Ｎｃ−２０よりも少ないとステップＳ７６で手術用ハンドピース２への処置エネルギーの出力準備モードに移行し、前記ステップＳ７５で滅菌処理回数Ｎは、滅菌処理限度回数Ｎｃの２０回前の値Ｎｃ−２０よりも大きいと判定されると、ステップＳ７７で表示パネル６に手術用ハンドピース２の滅菌処理限度回数に近いことを通知し、注意を促す、例えば「このハンドピースの使用可能回数は、あと“Ｎｃ−Ｎ”回です」と表示するための表示情報を生成出力し、前記ステップＳ７６に移行する。
【００９４】
前記ステップＳ７２の判定の結果、前記温度スイッチ１８のポート端子２０と接地端子２１の間の電圧がハイであると判定されると、つまり、前記手術用ハンドピース２は滅菌処理されていないことを示しているために、コントロール回路１４はステップＳ７８で、表示パネル６に手術用ハンドピース２は滅菌処理されていないこと警告表示する、例えば「このハンドピースは未滅菌です」との表示をするための表示情報を生成出力し、前記ステップＳ８０で医療装置本体３を手術ハンドピース２の接続スタンバイモードして、手術用ハンドピース２への処置エネルギーの出力を禁止とする。
【００９５】
前記ステップＳ７４で滅菌処理回数Ｎが滅菌処理限度回数Ｎｃを越えていると判定されると、コントロール回路１４はステップＳ７９で、表示パネル６に手術用ハンドピース２は滅菌処理限度回数Ｎｃを超え、使用できない旨を警告表示する、例えば「このハンドピースを交換してください」との表示をするための表示情報を生成出力し、前記ステップＳ８０の医療装置本体３をスタンバイモードして、手術用ハンドピース２への処置エネルギーの出力を禁止へと移行する。
【００９６】
なお、前記ステップＳ７５の判断において、滅菌処理回数Ｎを滅菌処理限度回数Ｎｃの２０回前の値Ｎｃ−２０を滅菌処理限度回数Ｎｃの１０回前や５回前の値Ｎｃ−１０，Ｎｃ−５と任意に設定できる。
【００９７】
以上説明したように、この第４の実施形態は、前述した第１と第２の実施形態と同じ効果を有すると共に、手術用ハンドピース２の温度監視チップ５’には、バッテリを用いずにオートクレーブ滅菌の有無を監視することが可能となり、温度監視チップ５’の構成も簡素化でき、かつ、記憶素子１０の記憶容量の小さいものが使用できる。
【００９８】
次に本発明の第５の実施形態の医療システムについて、図１２乃至図１４を用いて説明する。図１２は本発明の第５の実施形態の医療システムの医療装置本体に設けられる接続端子の構成を説明する説明図、図１３は本発明の第５の実施形態の医療システムの手術用ハンドピースに設けられる温度スイッチの内部構成と作用を説明する説明図、図１４は本発明の第５の実施形態の医療システムの作用を説明するフローチャートである。
【００９９】
この第５の実施形態の医療システムは、前述した手術用ハンドピース２と医療装置本体３からなり、手術用ハンドピース２には、図９を用いて説明した温度監視チップ５’が用いられているが、この温度監視チップ５’の温度スイッチ１８’は、図１０を用いて説明した温度スイッチ１８とは異なり、かつ、医療装置本体３のコネクター接続部１７の構成が異なる。
【０１００】
この第５の実施形態の医療システムの医療装置本体３のコネクター接続部１７には、図１２に示すように、医療装置本体２のコネクター接続部１７が設けられる外枠２４に接続端子３３が配置されている。この接続端子３３は、一端が外枠２４に取付固定されている固定端子２６と、この固定端子２６と併設され、軸方向に摺動可能に配置されている可動端子２５とからなる。前記外枠２４の内部には、前記可動端子２５の基端が配置され、かつ、その可動端子２５の基端部には、弾性体を有するスイッチ機構２７が設けられている。つまり、この可動端子２５は、スイッチ機構２７の弾性体で、可動端子２５を外枠２４の外方向へと付勢しており、この弾性体の付勢に抗して、前記可動端子２５が押圧されると、可動端子２５は、スイッチ機構２７の接点をオンさせるようになっている。
【０１０１】
次に、この第５の実施形態の温度監視チップ５’に用いる温度スイッチ１８’について、図１３を用いて説明する。
【０１０２】
この温度スイッチ１８’は、筐体の内面の図中の底面には、バイメタルや形状記憶合金等の熱変形部材を用いて矩形状に形成された感熱素子２８の基端が取付固定されている。さらに、筐体の内部には、回転軸３４により軸止されたカム部材２９が配置されている。このカム部材２９には、前記感熱素子２８の先端と噛み合う溝部３０ａと平面部３０ｂ、及びこの溝部３０ａと略反対方向に延出されている突起部３２が形成されている。このカム部材２９の突起部３２は、前記筐体の上部側面に開口されている接続口３５から連通されている接続路へと延在されている。この接続口３５は、図１２で説明した、医療装置本体３のコネクター接続部１７に設けられる接続端子３３が挿入されるようになっている。さらに、前記カム部材２６の突起部３２には、弾性体３１が配置され、カム部材２９の突起部３２を接続口３５側に付勢するようになっている。
【０１０３】
このような構成の温度スイッチ１８’を前記手術用ハンドピース２のコネクタ４に内蔵される温度監視チップ５’に用いると、前記手術用ハンドピース２を前記医療装置本体３から取り外した状態では、図１３（ａ）に示すように、前記カム部材２９の溝部３０ａと感熱素子２８の先端とは、噛み合った状態となっており、突起部３２は弾性体３１の弾性力に抗して、接続口３５に連通する接続路の奥側に位置されている。
【０１０４】
このような温度スイッチ１８’の状態の温度監視チップ５’を有する手術用ハンドピース２をオートクレーブ滅菌装置により加熱滅菌処理を行い、所定の加熱滅菌温度、例えば、１２０゜Ｃ以上となると、図１３（ｂ）に示すように、その加熱温度により温度スイッチ１８’の感熱素子２８は変形する。この感熱素子２８の変形により、感熱素子２８の先端は、前記カム部材２９の溝部３０ａとの噛み合いが解除される。この感熱素子２８の先端とカム部材２９の溝部３０ａとの噛み合いが解除されると、カム部材２９は、弾性部材３１に弾性力により回転軸３４を中心に図中反時計方向に回動して、カム部材２９の突起部３２は、接続口３５の近傍まで回動する。
【０１０５】
前記オートクレーブ滅菌装置で滅菌加熱処理された後の手術用ハンドピース２は、冷却されるが、その冷却過程で、前記温度スイッチ１８’は、図１３（ｃ）に示すように、感熱素子２８が元の形状へ戻る過程で、前記滅菌加熱時にカム部材２９が回転しているために、感熱素子２８はカム部材２９の溝部３０ａとは噛み合わず、平面部３０ｂに当接する。つまり、カム部材２９の突起３２は、接続口３５側へ回動された状態が維持される。
【０１０６】
このようにして、滅菌加熱処理され、かつ、滅菌加熱処理後冷却された手術用ハンドピース２を医療装置本体３に接続して医療治療を行う際に、図１３（ｄ）に示すように、医療装置本体３のコネクター接続部１７に設けられた接続端子３３を手術ハンドピース２の温度監視チップ５’の温度スイッチ１８’の接続口３５に挿入させる。この温度スイッチ１８’の接続口３５から前記接続端子３３が挿入されると、この接続端子３３によりカム部材２９の突起部３２は、弾性部材３１の弾性力に抗して、図中右方向へと押し込まれ、カム部材２９は回転軸３４を中心に時計方向回転して、感熱素子２８の先端は、平面部３０ｂから移動して溝部３０ａと噛み合う。この時、前記接続端子３３の可動端子２５は、カム部材２９の突起部３２によりスイッチ機構２７側に押圧されて、スイッチ機構２７がオン状態となり、固定端子２６により突起部３２を所定位置まで押し込み作用させる。このスイッチ機構２７のオン／オフにより医療装置本体３はも手術用ハンドピース２の接続有無を判別できる。
【０１０７】
このような構成の手術用ハンドピース２と医療装置本体３による手術用ハンドピース２の滅菌処理の判別作用について図１４を用いて説明する。
【０１０８】
ステップＳ９１で、手術用ハンドピース２が医療装置本体３に接続されると、コントロール回路１４はステップＳ９２で、前記手術用ハンドピース２が接続されると、接続端子３３の可動端子２５によりスイッチ機構２７が押されてオンされたか、そのオン情報により手術用ハンドピース２の接続確認判定を行う。
【０１０９】
このステップＳ９２でスイッチ機構２７のオン情報により手術用ハンドピース２の接続が確認されると、コントロール回路１４はステップＳ９３で、読み出し／書込手段１６を駆動制御して、温度監視チップ５’の記憶素子１０に記憶されている滅菌処理回数Ｎに１を加算させ、ステップＳ９４でその加算された滅菌処理回数Ｎは、滅菌処理限度回数Ｎｃよりも少ないが判定される。このステップＳ９４の結果、滅菌処理回数Ｎは、滅菌処理限度回数Ｎｃよりも少ないと判定されると、ステップＳ９５で滅菌処理回数Ｎは、滅菌処理限度回数Ｎｃの２０回前の値Ｎｃ−２０と比較される。
【０１１０】
このステップＳ９５の比較の結果、滅菌処理回数Ｎは、滅菌処理限界回数Ｎｃの２０回前の値Ｎｃ−２０よりも少ないとステップＳ９６で手術用ハンドピース２への処置エネルギーの出力準備モードに移行し、前記ステップＳ９５で滅菌処理回数Ｎは、滅菌処理限度回数Ｎｃの２０回前の値Ｎｃ−２０よりも大きいと判定されると、ステップＳ９７で表示パネル６に手術用ハンドピース２の滅菌処理限度回数に近いことを通知し、注意を促す、例えば「このハンドピースの使用可能回数は、あと“Ｎｃ−Ｎ”回です」と表示するための表示情報を生成出力し、前記ステップＳ９６に移行する。
【０１１１】
前記ステップＳ９２の判定の結果、前記可動端子２５はスイッチ機構２７は押されてなく、スイッチ機構２７からオフ情報が検出されていると判定されると、つまり、前記手術用ハンドピース２は滅菌処理されていなく、前記温度スイッチ１８’のカム部材２９は図１３（ａ）の状態であることを示しているために、コントロール回路１４はステップＳ９８で、表示パネル６に手術用ハンドピース２は滅菌処理されていないこと警告表示する、例えば「このハンドピースは未滅菌です」との表示するための表示情報を生成出力し、前記ステップＳ９９で医療装置本体３を手術用ハンドピース２の再接続スタンバイモードにして、手術用ハンドピース２への処置エネルギーの出力を禁止とする。
【０１１２】
前記ステップＳ９４で滅菌処理回数Ｎが滅菌処理限度回数Ｎｃを越えていると判定されると、コントロール回路１４はステップＳ１００で、表示パネル６に手術用ハンドピース２は滅菌処理限度回数Ｎｃを超え、使用できない旨を警告表示する、例えば「このハンドピースを交換してください」との表示をするための表示情報を生成出力し、前記ステップＳ９９の医療装置本体３をスタンバイモードして、手術用ハンドピース２への処置エネルギーの出力を禁止へと移行する。
【０１１３】
なお、前記ステップＳ９５の判断において、滅菌処理回数Ｎを滅菌処理限度回数Ｎｃの２０回前の値Ｎｃ−２０を滅菌処理限度回数Ｎｃの１０回前や５回前の値Ｎｃ−１０，Ｎｃ−５とすることもできる。
【０１１４】
以上説明したように、この第５の実施形態は、前述した第１乃至第４の実施形態と同じ効果を有する。
【０１１５】
［付記］
以上詳述した本発明の実施形態によれば、以下のごとき構成を得ることができる。
【０１１６】
（付記１）  加熱滅菌処理される医療機具と、前記医療機具を着脱自在に接続して電気的に駆動する駆動手段を有する医療装置とを備えた医療システムにおいて、
前記医療機具に設けられ、前記加熱滅菌処理の熱によって変化可能な熱変化手段と、
前記加熱滅菌処理の熱によって変化した前記熱変化手段の変化状態を保持可能な変化状態保持手段と、
前記医療装置に設けられ、前記医療機具を接続したときに前記変化状態保持手段で保持された前記熱変化手段の前記変化状態を読み取り可能な変化状態読み取り手段と、
前記医療装置に設けられ、前記熱変化状態を読み取り手段で読み取られた変化状態情報に基づき、前記加熱滅菌処理の実施を判別する滅菌実施判別手段と、
を具備したこと特徴とする医療システム。
【０１１７】
（付記２）  加熱滅菌処理される医療機具と、前記医療機具を着脱自在に接続して電気的に駆動する駆動手段を有する医療装置とを備えた医療システムにおいて、
前記医療機具に設けられ、前記加熱滅菌処理の熱を電気的に検知可能な熱検知手段と、
前記医療機具に設けられ、前記熱検知手段で検知された検知情報を電気的に記憶可能な記憶手段と、
前記医療機具に設けられ、前記記憶手段と前記熱検知手段とに電力を供給可能なバッテリ手段と、
前記医療装置に設けられ、前記医療機具を接続するときに前記記憶手段に記憶された検知情報を読み取り可能な情報読み取り手段と、
前記医療装置に設けられ、前記情報読み取り手段で読み取られた検知情報に基づき、前記加熱滅菌処理の実施を判別する滅菌実施判別手段と、
を具備したこと特徴とする医療システム。
【０１１８】
（付記３）  加熱による滅菌を必要とする医療器具又は医療用処置具と、それらと接続される医療装置本体とからなる医療システムにおいて、
医療器具又は医療用処置具の内部に設けられ、加熱により変形する加熱変形部位と、加熱後に冷却しても前記加熱変形部位の変形を保持させる変形保持部位とからなる加熱検知手段と、
前記医療装置本体の内部に設けられ、前記加熱検知手段の加熱変形部位の変形状態を読み取る読取り手段と、
前記読取り手段により前記加熱検知手段から読み取った加熱変形部位の加熱変形に応じて、加熱滅菌実施の有無を判別する判別手段と、
前記医療装置本体には、前記読み取り手段で前記加熱検知手段の加熱変形部位を元の状態に戻す復帰手段と、。
【０１１９】
を具備して、前記医療器具又は処置具の加熱滅菌が行なわれたか否かを判別することを可能にした医療システム。
【０１２０】
（付記４）  加熱による滅菌を必要とする医療器具又は医療用処置具と、それらと接続される医療装置本体とからなる医療システムにおいて、
前記医療器具又は処置具の内部に、温度を測定する温度センサー素子と、時間を測るためのオシレータ素子と、前記温度素子により観測される処置具の温度変化を記憶する記憶素子と、それら素子を制御するためのコントロール回路と、及びそれら素子を駆動するためのバッテリーとを具備しており、
前記医療器具又は医療用処置具の温度を一定時間おきに監視し、前記医療装置本体の内部には、医療装置本体に前記医療器具又は処置具を接続したときに、上記記憶素子内のデータを読み出す読み出し手段と、その読み出し結果に基づき滅菌実施の有無を判別する判別手段と、により処置具の加熱滅菌が行なわれたか否かを判別する医療システム。
【０１２１】
（付記５）  前記医療器具又は処置具を前記医療装置本体から抜去したときに温度測定が開始され、前記記憶素子に記憶された温度のデータは、前記医療器具又は処置具を前記医療装置本体に接続して滅菌の有無の判別が行なわれた後にすべて消去することを特徴とした付記４記載の医療システム
（付記６）  前記医療器具又は処置具を医療装置本体に接続して使用するときに、その医療器具又は処置具が加熱滅菌されていない場合には、前記医療器具又は処置具の使用を停止し、その由をユーザーに告知する手段を前記医療装置本体に具備した付記３又は４にいずれかに記載の医療システム。
【０１２２】
（付記７）  前記医療器具又は処置具の内部には滅菌回数データを記憶するための記憶素子を具備しており、前記医療器具又は処置具が医療装置本体に接続されたときに、医療装置本体において加熱滅菌の実施の有無を判断し、加熱滅菌が実施されていた場合には、接続部を通して前記記憶素子の滅菌回数データを１増やすように前記医療装置本体に設けられた滅菌回数データ書き込み手段を具備した付記３又は４のいずれかに記載の医療システム。
【０１２３】
（付記８）  加熱による滅菌を必要とする医療器具又は医療用処置具と、それらと接続される医療装置本体とからなる医療システムにおいて、
前記医療器具又は処置具の内部に、温度を測定する温度センサー素子と、時間を測るためのオシレータ素子と、処置具が滅菌された回数を記憶する記憶素子と、
それら各素子を制御するためのコントロール回路と、それらを駆動するためのバッテリーとを具備し、前記医療器具又は医療用処置具の温度を一定時間おきに監視する上記コントロール回路は、前記温度センサー素子により計測された温度が予め登録されている規定温度を超えたことを検知する検知手段と、前記検知手段により計測温度が規定温度を超えたときに前記記憶素子に記憶されている滅菌回数の値を１増やし、前記医療器具又は処置具が冷却後に再加熱されて規定温度を超えると検知手段に再検知され、再度上記記憶素子に記憶されている滅菌回数の値を１増やし、前記医療装置本体の内部には、医療装置本体に前記医療器具又は処置具を接続したときに、上記記憶素子内のデータを読み出す読み出し手段を具備することを特徴とする医療システム。
【０１２４】
（付記９）  前記医療器具又は処置具に具備された前記記憶素子に記憶されている滅菌回数データが、予め規定された回数に達しているか否かを判断する手段を前記医療装置本体に設け、前記滅菌回数データが規定された回数に達している場合は上記医療器具又は処置具の使用を停止し、その由をユーザーに告知する告知手段を具備した付記７又は８のいずれかに記載の医療システム。
【０１２５】
（付記１０）  使用回数が予め規定された使用回数に近づいた場合に、前記医療装置本体において残りの使用可能回数をユーザーに告知する告知手段を具備した付記９に記載の医療システム。
【０１２６】
【発明の効果】
本発明の医療システムは、医療器具の加熱滅菌処理有無と処理回数が自動的に記録でき、医療装置で医療器具の加熱滅菌処理の有無判別と、加熱滅菌処理回数が確実に管理認識できる効果を有している。
【０１２７】
また、治療行為において、不注意で未加熱滅菌の医療器具を使用とした場合には、確実に未加熱滅菌状態が検出でき術者に告知可能で、未加熱滅菌の医療器具の使用を未然に阻止でき、かつ、加熱滅菌処理が限界回数に近づくと術者に告知されることから、手術用ハンドピースの使用限度を確実に把握できる効果を有している。
【図面の簡単な説明】
【図１】本発明の第１の実施形態の医療システムの全体構成を説明する説明図。
【図２】本発明の第１の実施形態の医療システムに用いる温度監視チップの構成を示すブロック図。
【図３】本発明の第１の実施形態の医療システムに用いる医療装置本体の構成を示すブロック図。
【図４】本発明の第１の実施形態の医療システムにおける手術用ハンドピースの温度測定動作を説明するフローチャート。
【図５】本発明の第１の実施形態の医療システムにおける手術用ハンドピースを医療装置本体から外した状態の動作を説明するフローチャート。
【図６】本発明の第２の実施形態の医療システムにおける手術用ハンドピースの温度測定動作を説明するフローチャート。
【図７】本発明の第３の実施形態の医療システムにおける手術用ハンドピースの温度測定動作を説明するフローチャート。
【図８】本発明の第３の実施形態の医療システムにおける手術用ハンドピースを医療装置本体に取り付けた状態の動作を説明するフローチャート。
【図９】本発明の第４の実施形態の医療システムに用いる温度監視チップの構成を示すブロック図。
【図１０】本発明の第４の実施形態の医療システムに用いる温度監視チップに内蔵されている温度スイッチの構成と作用を説明する説明図。
【図１１】本発明の第４の実施形態の医療システムの作用を説明するフローチャート。
【図１２】本発明の第５の実施形態の医療システムの医療装置本体に設けられる接続端子の構成を説明する説明図。
【図１３】本発明の第５の実施形態の医療システムの手術用ハンドピースに設けられる温度スイッチの内部構成と作用を説明する説明図。
【図１４】本発明の第５の実施形態の医療システムの作用を説明するフローチャート。
【符号の説明】
１…医療システム
２…手術用ハンドピース
３…医療装置本体
４…コネクタ
５…温度監視チップ
６…表示パネル
８…温度センサ素子
９…オシレータ素子
１０…記憶素子
１１…コントロール回路
１２…バッテリ
１３…入出力端子（ＩＯ）
１４…コントロール回路
１５…駆動回路
１６…読み出し／書込手段
１７…コネクター接続部
３６…充電手段
【図１】
2004290265.tif 000003
【図２】
2004290265.tif 000004
【図３】
2004290265.tif 000005
【図４】
2004290265.tif 000006
【図５】
2004290265.tif 000007
【図６】
2004290265.tif 000008
【図７】
2004290265.tif 000009
【図８】
2004290265.tif 000010
【図９】
2004290265.tif 000011
【図１０】
2004290265.tif 000012
【図１１】
2004290265.tif 000013
【図１２】
2004290265.tif 000014
【図１３】
2004290265.tif 000015
【図１４】
2004290265.tif 000016